【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
移植可能医療デバイスを用いて患者から得られた電気信号を処理する方法であって、該電気信号は、第一のセットの電気信号を含み、該第一のセットの電気信号は、ペーシング事象にわたる別個の試料時間ウィンドウからの電気活動の試料のセットを含み、
該方法は、
第二のセットの電気信号を提供するために該第一のセットの信号をフィルタリングすることであって、該第二のセットの電気信号は、カットオフ周波数より上の周波数を含む、ことと、
該第一のセットの電気信号に存在するノイズの量を該第二のセットの電気信号の大きさに基づいて推定することと、
ペースアーチファクト閾値を該推定されたノイズの量に基づいて調節することと
を含む、方法。
【請求項２】
前記第二のセットの電気信号を構成する最初にフィルタリングされた結果のうちの１つ以上は、前記ノイズの量を推定することにおいて考慮されない、請求項１に記載の方法。
【請求項３】
前記推定されたノイズの量がノイズ閾値を超えた場合に、前記第一のセットの電気信号を破棄することをさらに含む、請求項１〜２のうちのいずれか一項に記載の方法。
【請求項４】
前記推定されたノイズの量が閾値を超えた場合に、前記第一のセットの電気信号をノイズを示すものとして識別することをさらに含む、請求項１〜３のうちのいずれか一項に記載の方法。
【請求項５】
前記第一のセットの電気信号がノイズを示すものとして識別された場合に、ノイズカウンターを増やすことと、
該ノイズカウンターが所定の値を超えた場合、自動閾値テスト手続きを終了させることと
をさらに含む、請求項１〜４のうちのいずれか一項に記載の方法。
【請求項６】
前記第一のセットの信号をフィルタリングすることは、６８Ｈｚにおけるチェビシェフ高域フィルタによって実行される、請求項１〜５のうちのいずれか一項に記載の方法。
【請求項７】
前記第一のセットの電気信号は、１００ｍｓ時間ウィンドウに対して取られた心房心筋電気活動の試料のセットを含む、請求項１〜６のうちのいずれか一項に記載の方法。
【請求項８】
前記第一のセットの電気信号に存在するノイズの量を前記第二のセットの電気信号の大きさに基づいて推定することは、該第二のセットの電気信号の大きさに対する整流平均値を計算することを含む、請求項１〜７のうちのいずれか一項に記載の方法。
【請求項９】
医療デバイスであって、
該医療デバイスは、
プロセッサ回路と、
該プロセッサ回路に動作可能に接続されたメモリ回路と
を含み、該医療デバイスは、
患者からの第一のセットの電気信号を集めることであって、該第一のセットの電気信号は、ペーシング事象にわたる別個の試料時間ウィンドウからの電気活動の試料のセットを含む、ことと、
第二のセットの電気信号を提供するために該第一のセットの電気信号をフィルタリングすることであって、該第二のセットの電気信号は、カットオフ周波数より上の周波数を含む、ことと、
該第一のセットの電気信号に存在するノイズの量を該第二のセットの電気信号の大きさに基づいて推定することであって、該第二のセットの電気信号を構成する最初にフィルタリングされた結果のうちの１つ以上は、ノイズ推定から除外される、ことと、
ペースアーチファクト閾値を該推定されたノイズの量に基づいて調節することと
を行うように構成されている、医療デバイス。
【請求項１０】
前記第二のセットの電気信号を構成する最初にフィルタリングされた結果のうちの１つ以上は、ノイズ推定から除外される、請求項９に記載の医療デバイス。
【請求項１１】
推定されたノイズの量がノイズ閾値を超えた場合に、前記第一のセットの電気信号を破棄するようにさらに構成されている、請求項９〜１０のうちのいずれか一項に記載の医療デバイス。
【請求項１２】
推定されたノイズの量が閾値を超えた場合に、前記第一のセットの電気信号をノイズを示すものとして識別することと、
該第一のセットの電気信号がノイズを示すものとして識別された場合に、ノイズカウンターを増やすことと、
該ノイズカウンターが閾値を超えた場合に、自動閾値テスト手続きを終了させることと
を行うようにさらに構成されている、請求項９〜１１のうちのいずれか一項に記載の医療デバイス。
【請求項１３】
６８Ｈｚにおける高域チェビシェフフィルタをさらに含む、請求項９〜１２のうちのいずれか一項に記載の医療デバイス。
【請求項１４】
前記第一のセットの電気信号は、１００ｍｓ時間ウィンドウに対して取られた心房電気活動の試料のセットを含む、請求項９〜１３のうちのいずれか一項に記載の医療デバイス。
【請求項１５】
前記第一のセットの電気信号に存在するノイズの量を前記第二のセットの電気信号の大きさに基づいて推定するようにさらに構成されている前記デバイスは、該第二のセットの電気信号の大きさに対する整流平均値を計算することを含む、請求項９〜１４のうちのいずれか一項に記載の医療デバイス。
【手続補正２】
【補正対象書類名】明細書
【補正対象項目名】０００９
【補正方法】変更
【補正の内容】
【０００９】
発明は、以下の図面に関連して、より完全に理解され得る。
本発明は、例えば、以下を提供する。
（項目１）
患者から得られた電気信号を処理する方法であって、
該方法は、
該患者内の第一のセットの電気信号を移植可能医療デバイスを用いて集めることであって、該第一のセットの電気信号は、ペーシング事象にわたる別個の試料時間ウィンドウからの電気活動の試料のセットを含む、ことと、
第二のセットの電気信号を提供するために該第一のセットの信号をフィルタリングすることであって、該第二のセットの電気信号は、カットオフ周波数より上の周波数を含む、ことと、
該第一のセットの電気信号に存在するノイズの量を該第二のセットの電気信号の大きさに基づいて推定することと
を含む、方法。
（項目２）
上記第二のセットの電気信号を構成する最初にフィルタリングされた結果のうちの１つ以上は、上記ノイズの量を推定することにおいて考慮されない、項目１または項目３〜１０のうちのいずれか一項に記載の方法。
（項目３）
ペースアーチファクト閾値を上記推定されたノイズの量に基づいて調節することをさらに含む、項目１〜２または項目４〜１０のうちのいずれか一項に記載の方法。
（項目４）
上記推定されたノイズの量がノイズ閾値を超えた場合に、上記第一のセットの電気信号を破棄することをさらに含む、項目１〜３または項目５〜１０のうちのいずれか一項に記載の方法。
（項目５）
上記推定されたノイズの量が閾値を超えた場合に、上記第一のセットの電気信号をノイズを示すものとして識別することをさらに含む、項目１〜４または項目６〜１０のうちのいずれか一項に記載の方法。
（項目６）
上記第一のセットの電気信号がノイズを示すものとして識別された場合に、ノイズカウンターを増やすことをさらに含む、項目１〜５または項目７〜１０のうちのいずれか一項に記載の方法。
（項目７）
上記ノイズカウンターが所定の値を超えた場合、自動閾値テスト手続きを終了させることをさらに含む、項目１〜６または項目８〜１０のうちのいずれか一項に記載の方法。
（項目８）
上記第一のセットの信号をフィルタリングすることは、６８Ｈｚにおけるチェビシェフ高域フィルタによって実行される、項目１〜７または項目９〜１０のうちのいずれか一項に記載の方法。
（項目９）
上記第一のセットの電気信号は、１００ｍｓ時間ウィンドウに対して取られた心房心筋電気活動の試料のセットを含む、項目１〜８または項目１０のうちのいずれか一項に記載の方法。
（項目１０）
上記第一のセットの電気信号に存在するノイズの量を上記第二のセットの電気信号の大きさに基づいて推定することは、該第二のセットの電気信号の大きさに対する整流平均値を計算することを含む、項目１〜９のうちのいずれか一項に記載の方法。
（項目１１）
医療デバイスであって、
該医療デバイスは、
プロセッサ回路と、
該プロセッサ回路に動作可能に接続されたメモリ回路と
を含み、該医療デバイスは、
該医療デバイスであって、該医療デバイスは、
患者からの第一のセットの電気信号を集めることであって、該第一のセットの電気信号は、ペーシング事象にわたる別個の試料時間ウィンドウからの電気活動の試料のセットを含む、ことと、
第二のセットの電気信号を提供するために該第一のセットの電気信号をフィルタリングすることであって、該第二のセットの電気信号は、カットオフ周波数より上の周波数を含む、ことと、
該第一のセットの電気信号に存在するノイズの量を該第二のセットの電気信号の大きさに基づいて推定することであって、該第二のセットの電気信号を構成する最初にフィルタリングされた結果のうちの１つ以上は、ノイズ推定から除外される、ことと
を行うように構成されている、医療デバイス。
（項目１２）
上記第二のセットの電気信号を構成する最初にフィルタリングされた結果のうちの１つ以上は、ノイズ推定から除外される、項目１１または項目１３〜２０のうちのいずれか一項に記載の医療デバイス。
（項目１３）
ペースアーチファクト閾値を推定されたノイズの量に基づいて調節することをさらに含む、項目１１〜１２または項目１４〜２０のうちのいずれか一項に記載の医療デバイス。
（項目１４）
推定されたノイズの量がノイズ閾値を超えた場合に、上記第一のセットの電気信号を破棄するようにさらに構成されている、項目１１〜１３または項目１５〜２０のうちのいずれか一項に記載の医療デバイス。
（項目１５）
推定されたノイズの量が閾値を超えた場合に、上記第一のセットの電気信号をノイズを示すものとして識別するようにさらに構成されている、項目１１〜１４または項目１６〜２０のうちのいずれか一項に記載の医療デバイス。
（項目１６）
上記第一のセットの電気信号がノイズを示すものとして識別された場合に、ノイズカウンターを増やすようにさらに構成されている、項目１１〜１５または項目１７〜２０のうちのいずれか一項に記載の医療デバイス。
（項目１７）
上記ノイズカウンターが閾値を超えた場合に、自動閾値テスト手続きを終了させるようにさらに構成されている、項目１１〜１６または項目１８〜２０のうちのいずれか一項に記載の医療デバイス。
（項目１８）
６８Ｈｚにおける高域チェビシェフフィルタをさらに含む、項目１１〜１７または項目１９〜２０のうちのいずれか一項に記載の医療デバイス。
（項目１９）
上記第一のセットの電気信号は、１００ｍｓ時間ウィンドウに対して取られた心房電気活動の試料のセットを含む、項目１１〜１８または項目２０のうちのいずれか一項に記載の医療デバイス。
（項目２０）
上記第一のセットの電気信号に存在するノイズの量を上記第二のセットの電気信号の大きさに基づいて推定するようにさらに構成されている上記デバイスは、該第二のセットの電気信号の大きさに対する整流平均値を計算することを含む、項目１１〜１９のうちのいずれか一項に記載の医療デバイス。